(57)【要約】      （修正有）【課題】動画撮影中に、リフォーカス連写による静止画撮影を行いつつ、静止画撮影の被写体像の位置ずれをなくすことを可能にした撮像装置を提供する。【解決手段】撮影レンズユニット２と、撮影光軸方向に移動可能な半透過ミラー３と、半透過ミラー３を透過した光束を受光する第１撮像手段４と、半透過ミラー３で反射した光束を受光する第２撮像手段５と、を有する撮像装置である。撮像装置は、第１撮像手段４による動画撮影中に、第２撮像手段５による一連の静止画連続撮影を同時行うことが可能であり、動画撮影中に行われる一連の静止画連続撮影は、半透過ミラー３を撮影光軸方向に各々の静止画撮影ごとに漸次移動させることで、静止画撮影ごとに第２撮像手段５に対する合焦位置を漸次変化させる撮影を行い、一連の静止画連続撮影で得られる全ての静止画像に共通する撮影領域を算出し、共通撮影領域で一連の静止画連続撮影の各々の静止画像をクロップする。【選択図】図２
2017118213.tif 000002
【特許請求の範囲】
【請求項１】
交換可能な撮影レンズユニット（２）と、
前記撮影レンズユニット（２）から入射した光束の一部を透過し、残りの光束を反射させることで光束を分割する、撮影光軸方向に移動可能な半透過ミラー（３）と、
前記半透過ミラー（３）を透過した光束を受光する第１撮像手段（４）と、
前記半透過ミラー（３）で反射した光束を受光する第２撮像手段（５）と、
を有する撮像装置であって、
前記撮像装置は、前記第１撮像手段（４）による動画撮影中に、前記第２撮像手段（５）による一連の静止画連続撮影を同時行うことが可能であり、
動画撮影中に行われる一連の静止画連続撮影は、前記半透過ミラー（３）を撮影光軸方向に各々の静止画撮影ごとに漸次移動させることで、前記第２撮像手段（５）までの光路長を各々の静止画撮影ごとに漸次変化させ、各々の静止画撮影ごとに前記第２撮像手段（５）に対する合焦位置を漸次変化させる撮影を行い、
一連の静止画連続撮影で得られる全ての静止画像に共通する撮影領域を算出し、前記共通撮影領域で一連の静止画連続撮影の各々の静止画像をクロップすることを特徴とする撮像装置。
【請求項２】
前記第１撮像手段（４）の焦点検出を行う焦点検出手段（２２）と、
前記交換可能な撮影レンズユニット（２）内に配置され、前記焦点検出手段（２２）の信号に基づき合焦位置へ移動するフォーカスレンズ（３０）と、
をさらに備え、
前記第１撮像手段（４）による動画撮影時、被写体の動きに合わせて前記フォーカスレンズ（３０）を移動させ続け、被写体へ合焦させ続ける動画被写体追尾撮影を行っている場合において、
前記フォーカスレンズ（３０）移動による合焦位置変化方向と、
前記半透過ミラー（３）を撮影光軸方向に移動させることによる合焦位置変化方向とを同じにしつつ、
前記第２撮像手段（５）による一連の静止画連続撮影を行うことを特徴とする請求項１に記載の撮像装置。
【発明の詳細な説明】
【技術分野】
【０００１】
本発明は、静止画や動画を撮像可能な撮像装置に関する。
【背景技術】
【０００２】
被写体像を電気信号に変換して撮像するデジタルカメラ等の撮像装置では、撮影光束を撮像素子で受光し、その撮像素子から出力される光電変換信号を画像データに変換して、メモリカード等の記録媒体に記録する。撮像素子としては、ＣＣＤ(Charge Coupled Device)やＣＭＯＳセンサ(Complementary Metal Oxide Semiconductor)等が用いられる。
【０００３】
１つの撮像素子を用いて、静止画像および動画像の撮影を行うことは可能であるが、両画像を同時に得たい場合、画素読み出し処理の違いや最適な撮影条件が異なるため、静止画像の撮影中は動画像を一時的に中断する必要があった。
【０００４】
それを解決するために、特許文献１により提案されているように、第１の撮像部と第２の撮像部をもち、第１の撮像部で静止画撮影、第２の撮像部で動画撮影を行うという手法がある。また、特許文献２により提案されているように、撮影光軸上に回動自在なミラーを配置し、そのミラーの後方と上方に別々の撮像素子を配置する手法がある。そして、特許文献１と特許文献２の組み合わせにより、動画と静止画の撮影をシームレスに行うことが可能である。さらに、特許文献２には、ミラーを撮影光軸方向に移動させ、光路長を変化させることで、ミラーの上方に配置された撮像素子の合焦位置を変化させることが記載されている。よって、上記の組み合わせにより、動画と静止画の撮影をそれぞれ異なる合焦位置で撮影することが可能である。
【先行技術文献】
【特許文献】
【０００５】
【特許文献１】特開２０１２−２３１１９７号公報
【特許文献２】特開２００５−９９６０８号公報
【発明の概要】
【発明が解決しようとする課題】
【０００６】
しかしながら、上述の特許文献に開示された従来技術では、ミラーを撮影光軸方向に移動させると、ミラーの上方に配置された撮像素子で撮像される被写体像は、ミラーの移動にならって移動してしまう。例えば、ミラーを撮影光軸方向後ろへ移動させると、撮像される被写体像は下方へ移動してしまう。さらに、ミラーを少しずつ移動させて、ミラーの上方に配置された撮像素子の合焦位置を少しずつ変化させながら連続撮影を行う（以後、リフォーカス連写と言う）と、被写体像が少しずつ異なる位置で撮影されてしまい、撮影者の意図しない構図となってしまうおそれがある。また、リフォーカス連写画像の合成等の画処理を行う際にも被写体が異なる位置にあると、処理に余分な工程が加わり、処理時間の増大等の影響がある。
【０００７】
そこで、本発明の目的は、動画撮影中に、動画の合焦位置に影響を与えることなく、リフォーカス連写による静止画撮影を行いつつ、静止画撮影の被写体像の位置ずれをなくすことを可能にした撮像装置を提供することにある。
【課題を解決するための手段】
【０００８】
上記の目的を達成するために、本発明に係る撮像装置は、
交換可能な撮影レンズユニット（２）と、前記撮影レンズユニット（２）から入射した光束の一部を透過し、残りの光束を反射させることで光束を分割する、撮影光軸方向に移動可能な半透過ミラー（３）と、前記半透過ミラー（３）を透過した光束を受光する第１撮像手段（４）と、前記半透過ミラー（３）で反射した光束を受光する第２撮像手段（５）と、を有する撮像装置であって、
前記撮像装置は、前記第１撮像手段（４）による動画撮影中に、前記第２撮像手段（５）による一連の静止画連続撮影を同時行うことが可能であり、
動画撮影中に行われる一連の静止画連続撮影は、前記半透過ミラー（３）を撮影光軸方向に各々の静止画撮影ごとに漸次移動させることで、前記第２撮像手段（５）までの光路長を各々の静止画撮影ごとに漸次変化させ、各々の静止画撮影ごとに前記第２撮像手段（５）に対する合焦位置を漸次変化させる撮影を行い、
一連の静止画連続撮影で得られる全ての静止画像に共通する撮影領域を算出し、前記共通撮影領域で一連の静止画連続撮影の各々の静止画像をクロップすることを特徴とする。
【発明の効果】
【０００９】
本発明によれば、動画撮影中に、動画の合焦位置に影響を与えることなく、リフォーカス連写による静止画撮影を行いつつ、静止画撮影の被写体像の位置ずれをなくすことを可能にした撮像装置を提供することができる。
【図面の簡単な説明】
【００１０】
【図１】本実施形態における撮像装置の主要部電気回路構成を示すブロック図である。
【図２】本実施形態における撮像装置の撮影光軸での断面図である。
【図３】本実施形態におけるカメラ１の動作を示したフローチャートである。
【図４】本実施形態における静止画撮影モード時の表示装置１３上の画面表示である。
【図５】本実施形態における動画撮影モード時の表示装置１３上の画面表示である。
【図６】本実施形態における静止画／動画同時撮影モード時の表示装置１３上の画面表示である。
【図７】本実施形態における静止画リフォーカス連写設定時の表示装置１３上の画面表示である。
【図８】本実施形態における静止画／動画の同時撮影時の表示装置１３上の画面表示である。
【図９】本実施形態における静止画リフォーカス連写の動作を示したフローチャートである。
【図１０】半透過ミラー３を撮影光軸に沿って前側へ移動させながら第２撮像手段５により連続撮影を行った撮影画像である。
【図１１】図１０を撮影共通領域でクロップした撮影画像である。
【図１２】本実施形態における静止画／動画の同時撮影時の表示装置１３上の画面表示である。
【発明を実施するための形態】
【００１１】
以下に、本発明の好ましい実施の形態を、添付の図面に基づいて詳細に説明する。また、各図面において共通する部分には同一の符号を付す。
【００１２】
まず、図１、図２を参照して、本発明の第１の実施形態の主な構成を説明する。図１は本実施形態における撮像装置の主要部電気回路構成を示すブロック図である。また、図２は本実施形態における撮像装置の撮影光軸での断面図である。
【００１３】
カメラ１には着脱可能なレンズユニット２が取り付けられており、レンズユニット内にはフォーカスレンズ３０、フォーカスレンズ３０を駆動するためのレンズ駆動手段３１を有する。レンズユニット２から入射した光は、撮影光軸Ａ−Ａに対して４５°に配設された半透過ミラー３に入射する。半透過ミラー３はリードスクリュー等（不図示）により撮影光軸Ａ−Ａ方向に平行に移動可能に構成されている。半透過ミラー３に入射した光の一部は半透過ミラー３を透過し、カメラ１の内部にある第１撮像手段４に結像するよう構成されている。また半透過ミラー３に入射した残りの光は半透過ミラー３によって反射し、第２撮像手段５に結像するよう構成されている。ここで、第１撮像手段４と第２撮像手段５は例えばＣＣＤ、ＣＭＯＳ等で構成される。
【００１４】
第１撮像手段４には、焦点検出センサ２２が内蔵されている。焦点検出センサ２２は位相差方式の焦点検出を行う。焦点検出センサ２２から出力される信号は、焦点駆動回路２３に供給され、被写体像信号に換算された後、カメラ回路制御マイコン１５に送信される。そして、カメラ回路制御マイコン１５は、被写体像信号に基づいて位相差検出法による焦点検出演算を行う。具体的には、カメラ回路制御マイコン１５は、被写体像信号を用いてデフォーカス量および方向を算出し、算出されたデフォーカス量および方向に従い、レンズ制御回路１９およびレンズ駆動回路３１を介してレンズユニット２内のフォーカスレンズ３０を合焦位置に駆動させる。なお、本実施形態では第１撮像手段４内に配置された位相差検出方式の焦点検出センサを記載したが、他の配置、他の方式でも良い。例えば、公知の位相差方式の焦点検出ユニットを独立して配置させても良いし、第１撮像手段４による公知のコントラスト方式の焦点検出でも良い。
【００１５】
半透過ミラー３は通常待機位置にいる場合、レンズユニット２から半透過ミラー３を透過し第１撮像手段４までの光路長と、レンズユニット２から半透過ミラー３によって反射し第２撮像手段５までの光路長とは、略同等である。また、半透過ミラー３を撮影光軸Ａ−Ａ方向に移動させることで、第２撮像手段５の光路長を変化させ、第２撮像手段５の合焦位置を第１撮像手段４の合焦位置と異ならせることができる。
【００１６】
第１撮像手段４は第１撮像手段駆動／制御回路６により駆動／制御され、第１撮像手段４から出力されたアナログ信号は第１Ａ／Ｄ変換回路７によりデジタル信号に変換される。また、第２撮像手段５は第２撮像手段駆動／制御回路８により駆動／制御され、第２撮像手段５から出力されたアナログ信号は第２Ａ／Ｄ変換回路９によりデジタル信号に変換される。
【００１７】
第１Ａ／Ｄ変換回路７および、第２Ａ／Ｄ変換回路９から出力されたデジタル信号は画像処理回路１０で処理を行い、画像データとして生成される。この画像データはバッファメモリ１１へ保存されたり、表示部材駆動回路１２により液晶等で構成された表示装置１３およびファインダー内表示装置５０に表示される。また表示装置１３およびファインダー内表示装置５０には、撮影モードやレンズの絞り値、シャッタスピード値、ＩＳＯ感度などの各種情報を表示することができる。
【００１８】
接眼レンズ５１はファインダー内表示装置５０に表示される画像データや各種情報を拡大して観察することができる。
【００１９】
また、カメラ１は、デジタル回路制御マイコン１４、カメラ回路制御マイコン１５を有する。デジタル回路制御マイコン１４はＣＰＵバスを介して画像処理回路１０、及び表示部材駆動回路１２と通信、データの授受を行い、これらを統括的に制御している。カメラ回路制御マイコン１５は、スイッチや釦などの操作部材１６の状態の検知や、半透過ミラー３の駆動を行うミラー駆動回路１７の各種演算処理を統括的に行う。また、カメラ回路制御マイコン１５内にはＥＥＰＲＯＭ１８からなるカメラ内設定記憶手段を有し、カメラ１の各種設定値が記録されている。また、カメラ回路制御マイコン１５は、レンズユニット２内のレンズ制御回路１９と、マウント接点２０を介して通信を行っている。マウント接点２０は、レンズユニット２が接続されるとカメラ回路制御マイコン１５へ信号を送信する機能も有する。レンズユニット２内のレンズ内メモリ２１には、レンズの固有情報が記録されており、レンズの焦点距離や画角、絞り量に関する情報等も含まれる。なお、デジタル回路制御マイコン１４とカメラ回路制御マイコン１５は互いに通信を行っており、協調してカメラ１全体の制御を行っている。
【００２０】
また、スイッチセンス回路１６は、各スイッチの操作状態に応じて入力信号をカメラ回路制御マイコン１５に送信する。カメラ１にはレリーズボタン２４が配置されている。スイッチＳＷ１（２４ａ）は、レリーズボタン２４の第１ストローク（半押し）によりＯＮする。スイッチＳＷ２（２４ｂ）は、レリーズボタン２４の第２ストローク（全押し）によりＯＮする。スイッチＳＷ２（２４ｂ）がＯＮされると、撮影開始の指示がカメラ回路制御マイコン１５に送信される。また、撮影モード設定ダイヤル２６、メインスイッチ２７、動画測距ボタン２８、動画開始／終了ボタン２９がスイッチセンス回路１６に接続されている。撮影モード設定ダイヤル２６は、カメラ１の各種の撮影モードを設定することができるダイヤルである。メインスイッチ２７は、カメラ１の電源ＯＮ、ＯＦＦを切り替えるスイッチである。動画測距ボタン２８は、動画撮影時の測距開始を指示するボタンである。動画開始／終了ボタン２９は、動画撮影待機状態で押すと動画撮影を開始し、動画撮影中で押すと動画撮影を終了するボタンである。
【００２１】
以上が本実施形態におけるカメラ１の主要部電気回路構成の概要である。
【００２２】
次に図３を参照して、本実施形態におけるカメラ１の基本的な動作について説明する。図３は本実施形態におけるカメラ１の動作を示したフローチャートである。
【００２３】
まずＳ１００においてユーザーが撮影モード設定ダイヤル２６を操作することにより撮影モードの選択を行う。
【００２４】
［静止画撮影モード］
Ｓ１００において静止画撮影モードを選択するとＳ１０１へと進み、静止画撮影待機状態となる。静止画撮影モードにおいては、第１撮像手段４により静止画撮影が行われる。
【００２５】
図４は静止画撮影モード時の表示装置１３上の画面表示を表す。
【００２６】
図４に示すように、表示装置１３およびファインダー内表示装置５０には第１撮像手段４のスルー画像が表示される。レリーズボタン２４の半押し操作を行うとＳ１０２へと進み、焦点検出センサ２２の情報に基づき、フォーカスレンズ３０を駆動し、測距枠４０への合焦動作を行う。そしてレリーズボタン２４の全押し操作を行うとＳ１０３へと進み、第１撮像手段４により静止画撮影を行う。そしてＳ１０４においてカメラ回路制御マイコン１５はメインスイッチ２７の電源ＯＮ、ＯＦＦを判定する。電源ＯＮの場合、Ｓ１０１へと戻り、電源ＯＦＦの場合には処理を終了する。
【００２７】
［動画撮影モード］
次に、Ｓ１００において動画撮影モードを選択するとＳ１０５へと進み、動画撮影待機状態となる。動画撮影モードにおいては、第１撮像手段４により動画撮影が行われる。
【００２８】
図５は動画撮影モード時の表示装置１３上の画面表示を表す。
【００２９】
図５に示すように、表示装置１３およびファインダー内表示装置５０には第１撮像手段４のスルー画像が表示される。動画測距ボタンの押し操作により合焦指示を行うとＳ１０６へと進み、焦点検出センサ２２の情報に基づき、フォーカスレンズ３０を駆動し、測距枠４１への合焦動作を行う。その後の合焦指示はユーザー操作でも良いし、測距枠４１で選択された被写体に対してカメラ自身による自動追尾でもよい。そして、動画開始／終了ボタンの押し操作により動画撮影開始を選択するとＳ１０７へと進み、第１撮像手段４により動画撮影を行う。そしてＳ１０８において動画開始／終了ボタンの押し操作により動画撮影を終了すると、Ｓ１０９においてカメラ回路制御マイコン１５はメインスイッチ２７の電源ＯＮ、ＯＦＦを判定する。電源ＯＮの場合、Ｓ１０５に戻り、電源ＯＦＦの場合には処理を終了する。
【００３０】
［静止画／動画同時撮影モード］
次に、Ｓ１００において静止画／動画の同時撮影モードを選択するとＳ１１０へと進み、動画撮影待機状態となる。静止画／動画の同時撮影モードにおいては、第１撮像手段４により動画撮影が行われ、第２撮像手段５により静止画撮影が行われる。
【００３１】
図６は静止画／動画同時撮影モード時の表示装置１３上の画面表示を表す。
【００３２】
図６に示すように、表示装置１３およびファインダー内表示装置５０には第１撮像手段４のスルー画像が表示される。
【００３３】
Ｓ１１１においてユーザーは動画撮影中に静止画リフォーカス連写を行うか否かの選択を行う。静止画リフォーカス連写を行う場合はＳ１１２へ進み、リフォーカス領域と連写枚数を決定する。具体的な操作の一例を図７に示す。
【００３４】
図７は静止画リフォーカス連写設定時の表示装置１３上の画面表示を表す。
【００３５】
図７に示すように、第一測距枠４２ａおよび第二測距枠４２ｂを選択する。第一測距枠４２ａと第二測距枠４２ｂの枠表示はユーザーが見て判別がつくように、枠の仕様を一重枠、二重枠と異ならせても良いし、枠の色を異ならせても良い。焦点検出センサ２２の情報に基づき、第一測距枠４２ａおよび第二測距枠４２ｂで選択された被写体までのデフォーカス量が分かる。その情報をもとにカメラ回路制御マイコン１５は、第一測距枠４２ａにおいて合焦する半透過ミラー３の位置（図２の位置ａ３）、第二測距枠４２ｂにおいて合焦する半透過ミラー３の位置（図２の位置ａ２）を算出する。これにより、半透過ミラー３の移動すべき距離（図２の距離Ｌ）が求められる。
【００３６】
次に、図７に示すように、操作部を操作し、連写の撮影枚数ｎ（枚数決定枠４３内の数値）を設定する。図７は撮影枚数ｎ＝３枚と設定した場合を表示している。これにより、カメラ回路制御マイコン１５は、連写１枚ごとに半透過ミラー３が均等に移動するように位置を算出する。連写１枚目は初期位置（第一測距枠４２ａにおいて合焦する半透過ミラー３の位置）、連写２枚目は初期に対してＬ／（ｎ−１）移動した位置、連写３枚目は初期に対して２×Ｌ／（ｎ−１）移動した位置となる。そして、連写ｎ枚目は初期に対して（ｎ−１）×Ｌ／（ｎ−１）、つまりＬ移動した位置となる。ｎ＝３の場合、図２に示すように、半透過ミラー３の位置は、連写１枚目は位置ａ３、連写２枚目は初期に対してＬ／２移動した位置（位置ａ１）、連写３枚目は初期に対してＬ移動した位置（位置ａ２）となる。ここでは、第一測距枠４２ａでの被写体距離の方が、第二測距枠４２ｂでの被写体距離よりも近いため、半透過ミラー３は撮影光軸上を前側へ（第１撮像手段４側からレンズユニット２側へ向かって）移動する。
【００３７】
その後、動画測距ボタンの押し操作により合焦指示を行うとＳ１１３へと進み、焦点検出センサ２２の情報に基づき、フォーカスレンズ３０を駆動し、測距枠４４への合焦動作を行う。その後の合焦指示はユーザー操作でも良いし、測距枠４４で選択された被写体に対してカメラ自身による自動追尾でもよい。そして、動画開始／終了ボタンの押し操作により動画撮影開始を選択するとＳ１１４へと進み、第１撮像手段４による動画撮影を開始する。
【００３８】
その後、ユーザーがレリーズボタン２４の半押し操作を行うと、Ｓ１１５へと進み、静止画／動画の同時撮影画面に切り替わる。表示装置１３上に表示される静止画／動画の同時撮影画面の様子を図８に示す。図８に示すように、第１撮像手段４の動画の合焦位置を示す第１撮像手段測距枠４４、第２撮像手段５のリフォーカス連写１枚目の合焦位置を示す第２撮像手段測距枠４５ａ、リフォーカス連写終了時の合焦位置を示す第２撮像手段測距枠４５ｂが表示される。ただし、第２撮像手段測距枠４５ａ、４５ｂは第２撮像手段５の合焦する位置のみを示しており、表示されている被写体のピントは、スルー画像の表示上では合っていなくてもよい。
【００３９】
そして、Ｓ１１５においてレリーズボタン２４の全押し操作を行うとＳ１１６へと進み、第２撮像手段５により静止画リフォーカス連写撮影を行う。図９に本実施形態における静止画リフォーカス連写の動作のフローチャートを示す。なお、前述したように、ｎは設定されたリフォーカス連写の撮影枚数であり、Ｌは算出されたリフォーカス連写全枚数にわたる半透過ミラー３の総移動量である。
【００４０】
図１０は半透過ミラー３を撮影光軸に沿って前側へ移動させながら第２撮像手段５により連続撮影を行った撮影画像を表す。図１０（ａ）は１枚目の撮影画像、図１０（ｂ）は２枚目の撮影画像、図１０（ｃ）は３枚目の撮影画像を表す。図中の実線枠４６は撮影画角であり、点線枠４７は１枚目の撮影画角であり、２枚目、３枚目の撮影画像に対して仮想的に重畳させて表している。
【００４１】
一般的に、図１０に示すように、半透過ミラー３を撮影光軸に沿って前側へ移動させると、撮像される被写体像は上方へ移動してしまい、リフォーカス連写の最初と最後の静止画を比べると画角が異なってしまう。
【００４２】
そこで、カメラ回路制御マイコン１５は、リフォーカス連写１枚目の半透過ミラー３の位置およびリフォーカス連写終了時の半透過ミラー３の位置をもとに撮影共通領域を算出する。そして、その算出された撮影共通領域で連写１枚１枚をクロップする。こうすることで、連写１枚１枚の画角を同じにすることができる。図１１はその一例であり、図１０（ａ）の１枚目の撮影と図１０（ｃ）の３枚目の撮影との共通領域でクロップした撮影画像である。
【００４３】
フローチャートに戻って説明を続ける。まず、Ｓ１３０において上述したクロップ領域の算出を行う。次にＳ１３１において半透過ミラー３を、通常待機位置からリフォーカス連写１枚目の初期位置へ、撮影光軸に対して平行に移動させる。半透過ミラー３の初期位置は前述したとおりカメラ回路制御マイコン１５により算出される。そして、Ｓ１３２においてリフォーカス連写１枚目の静止画撮影を行う。撮影画像は前述したように撮影共通領域でクロップされる。続いてＳ１３３に進み、半透過ミラー３をリフォーカス連写１枚目の初期位置からＬ／（ｎ−１）の距離を撮影光軸に対して平行に移動させる。半透過ミラー３の移動量Ｌ／（ｎ−１）は前述したとおりカメラ回路制御マイコン１５により算出される。そして、Ｓ１３４においてリフォーカス連写２枚目の静止画撮影を行う。撮影画像は前述したように撮影共通領域でクロップされる。その後、同様の処理がリフォーカス連写設定枚数だけ続く。そして、Ｓ１３５において、半透過ミラー３をリフォーカス連写１枚目の初期位置から（ｎ−１）×Ｌ／（ｎ−１）＝Ｌの距離を撮影光軸に対して平行に移動させる。そして、Ｓ１３６においてリフォーカス連写ｎ枚目の静止画撮影を行う。撮影画像は前述したように撮影共通領域でクロップされる。設定枚数の連写処理が終了すると、Ｓ１３７において半透過ミラー３をリフォーカス連写撮影を実施する前の通常待機位置に戻す。
【００４４】
図３のフローチャートに戻って説明を続ける。Ｓ１１６が終了すると、Ｓ１１７へと進み、動画撮影が終了か否かを判定する。動画撮影が終了の場合、Ｓ１１８に進み、動画撮影続行中の場合、Ｓ１１５に戻る。Ｓ１１８において、カメラ回路制御マイコン１５はメインスイッチ２７の電源ＯＮ、ＯＦＦを判定する。電源ＯＮの場合、Ｓ１１０に戻り、電源ＯＦＦの場合には処理を終了する。
【００４５】
一方、Ｓ１１１において動画撮影中の静止画リフォーカス連写を行わない選択をした場合、動画撮影中に通常の静止画撮影を行うことができるようになる。その後、動画測距ボタンの押し操作により合焦指示を行うとＳ１２０へと進み、焦点検出センサ２２の情報に基づき、フォーカスレンズ３０を駆動し、測距枠４４への合焦動作を行う。その後の合焦指示はユーザー操作でも良いし、測距枠４４で選択された被写体に対してカメラ自身による自動追尾でもよい。そして、動画開始／終了ボタンの押し操作により動画撮影開始を選択するとＳ１２１へと進み、第１撮像手段４による動画撮影を開始する。
【００４６】
その後、ユーザーがレリーズボタン２４の半押し操作を行うと、Ｓ１２２へと進み、静止画／動画の同時撮影画面に切り替わる。
【００４７】
表示装置１３上に表示される静止画／動画の同時撮影画面の様子を図１２に示す。
【００４８】
図１２に示すように、第１撮像手段４の動画の合焦位置を示す第１撮像手段測距枠４４、第２撮像手段５の静止画の合焦位置を示す第２撮像手段測距枠４８が表示される。ただし、第２撮像手段測距枠４８は第２撮像手段５の合焦する位置のみを示しており、表示されている被写体のピントは、スルー画像の表示上では合っていなくてもよい。
【００４９】
続いてＳ１２３に進み、焦点検出センサ２２の情報に基づき、フォーカスレンズ３０を駆動させることなく、半透過ミラー３のみを撮影光軸に対して平行に移動させ、光路長を変化させることで、測距枠４８への合焦動作を行う。そして、レリーズボタン２４の全押し操作を行うとＳ１２４へと進み、第２撮像手段５により静止画撮影を行う。この時、第１撮像手段４の動画像に対して第２撮像手段５の静止画像は、半透過ミラー３の移動による影響で被写体位置つまり画角が異なってしまう。よって、静止画像をクロップし、動画像に映っていない領域を削除してしまう処理を施しても良い。
【００５０】
その後、Ｓ１２５へと進み、動画撮影が終了か否かを判定する。動画撮影が終了の場合、Ｓ１２６に進み、動画撮影続行中の場合、Ｓ１２２に戻る。Ｓ１２６において、カメラ回路制御マイコン１５はメインスイッチ２７の電源ＯＮ、ＯＦＦを判定する。電源ＯＮの場合、Ｓ１１０に戻り、電源ＯＦＦの場合には処理を終了する。
【００５１】
以上により、動画撮影中に、動画の合焦位置に影響を与えることなく、リフォーカス連写による静止画撮影を行いつつ、静止画撮影の被写体像の位置ずれをなくすことが可能になる。
【００５２】
また、動画撮影時、被写体の動きに合わせて、フォーカスレンズを駆動し続け、動く被写体に追従して合焦し続ける方法がある（動画サーボＡＦ）。この動画サーボＡＦ時には、フォーカスレンズ駆動による合焦位置変化方向に合わせて、静止画リフォーカス連写撮影時の半透過ミラー３の移動方向を決定させるとなお良い。例えば、動画の合焦位置が手前から奥に向かって変化している場合、半透過ミラー３も合焦位置が手前から奥に向かって変化するように移動させる。言い換えると、半透過ミラー３は撮影光軸上を前側へ（第１撮像手段４側からレンズユニット２側へ向かって）移動させる。
【００５３】
こうすることで、リフォーカス連写全枚数にわたる半透過ミラー３の総移動量であるＬを小さくすることができる。よって、リフォーカス連写の最初と最後の被写体ずれ量（画角ずれ量）を小さくすることができ、連写全枚数における撮影共通領域が広がり、結果としてクロップ領域を広げることができる。最小限のクロップ領域となり、画角の広い撮影画像を得ることができ、ユーザーメリットにつながる。
【００５４】
以上、本発明の好ましい実施形態について説明したが、本発明はこれらの実施形態に限定されず、その要旨の範囲内で種々の変形及び変更が可能である。
【符号の説明】
【００５５】
１  カメラ、２  レンズユニット、３  半透過ミラー、４  第１撮像手段、
５  第２撮像手段、１５  カメラ回路制御マイコン、２２  焦点検出センサ、
３０  フォーカスレンズ
【図１】
2017118213.tif 000003
【図２】
2017118213.tif 000004
【図３】
2017118213.tif 000005
【図４】
2017118213.tif 000006
【図５】
2017118213.tif 000007
【図６】
2017118213.tif 000008
【図７】
2017118213.tif 000009
【図８】
2017118213.tif 000010
【図９】
2017118213.tif 000011
【図１０】
2017118213.tif 000012
【図１１】
2017118213.tif 000013
【図１２】
2017118213.tif 000014